(57)【要約】【課題】画面の表示切り替えや、音量調整等の操作性を向上させ、車両運転中でも容易に操作できるようにする。【解決手段】画面表面にタッチパネルを有する表示手段と、該表示手段の近傍に設けられ、人の手の接近を検知する接近センサと、表示手段の表示を制御する制御手段とを備え、表示手段に所定の表示画面を表示中、手検知手段により手の接近が検知されると、表示手段の表示を所定の表示画面に応じた表示画面に切り替える。【選択図】図１
2009216888.tif 000002
【特許請求の範囲】
【請求項１】
表示手段と、該表示手段の前面に付設されたタッチパネルと、前記表示手段の近傍に設けられ人の手の接近を検知する手検知手段と、前記表示手段の表示を制御する制御手段とを備えた画面表示装置であって、
前記制御手段は、前記表示手段に所定の表示画面を表示中、前記手検知手段により手の接近が検知されると、前記表示手段の表示を前記所定の表示画面に応じた表示画面に切り替えることを特徴とする画面表示装置。
【請求項２】
前記所定の表示画面に応じた表示画面とは、タッチ用アイコンを表示する表示画面であることを特徴とする請求項１に記載の画面表示装置。
【請求項３】
前記画面表示装置は、さらに前記表示手段に表示されている表示画面を識別する画面識別手段を備えており、
前記画面識別手段は、前記手検知手段により人の手の接近が検知されると前記表示手段に表示されている表示画面を識別し、前記制御手段は、前記表示手段の表示を前記画面識別手段により識別された表示画面に応じた表示画面に切り替えることを特徴とする請求項１または請求項２に記載の画面表示装置。
【請求項４】
前記画面表示装置は車載機器の表示装置に適用したことを特徴とする請求項１から３の何れかに記載の画面表示装置。
【請求項５】
前記車載機器がナビゲーション装置であることを特徴とする請求項４に記載の画面表示装置。
【発明の詳細な説明】
【技術分野】
【０００１】
本発明は、表示手段の前面に付設されたタッチパネルにより各種操作が可能な車載用ナビゲーション装置のような画面表示装置に関するものである。
【背景技術】
【０００２】
最近の車載用ナビゲーション装置は、経路案内以外にもテレビの視聴やＤＶＤ／ＣＤの再生等、様々な機能を備えている。このような電子装置においては、利用者が電子装置に所望の機能、動作を行わせるために各種のハードキー（物理的、機構的なキー、スイッチ、ボタン等）が電子装置の前面に配置されており、これらのハードキーは、例えば、電子装置の主電源を投入、切断するための電源キーや電子機器が備える各種機能を選択して切替えるための機能選択キー、さらに個々の機能が備えるメニューを選択するためのメニュー選択キーなどである。
【０００３】
電子装置がナビゲーション機能、音楽プレーヤー機能、テレビジョン受信機などの機能を有する場合はその何れの機能を選択するかを、機能選択キーを操作して決定し、個々の機能を動作させるために必要な種々の指定を、メニュー選択キーを操作して決定する。
【０００４】
また、車載を目的とした前述のような装置では、装置を操作するための入力動作が運転操作を妨げることがないよう、前述のようなハードキーの他に、表示画面を構成する液晶パネルの表面に入力手段としてのタッチパネルを備えており、画面に表示された操作アイコンを指でタッチすることにより各種操作ができるようになっており、例えば、テレビを視聴する際には、テレビのチャンネル操作アイコンを画面に表示させ、所望する何れかのアイコンにタッチすると、該アイコンに対応するチャンネルに切り替わる構成となっている。
【０００５】
このとき、チャンネル操作アイコンを画面に表示させるためには装置に設けられた画面切替用のハードキーを操作することで表示するようにしていた。また、テレビやＣＤ等の音量を調節する際には、装置に設けられた音量調整用のハードキーを操作することで調節するようにしていた。
【０００６】
しかしながら、上記ハードキーを操作してチャンネルボタンを画面に表示させたり、音量を調整したりする従来の画面表示装置に設けられたハードキーは、装置前面の限られたスペースに設ける必要があるため小さく設計されている。このような小さいハードキーを運転中に操作するのは困難が伴い、操作に気をとられて運転が疎かになる恐れがあるという問題点があり操作性の向上が望まれていた。
【０００７】
車載機器の操作性を向上させる技術として、特許文献１（特開２００２−９１６７４号公報）には、車載機器の操作部をグループ分けし、各グループ毎に手の接近を検知する検出部を設けて、夜間運転中に検出部により手の接近を検知すると、該当するグループを構成する操作部の照明輝度をアップさせることにより、照明の暗い中でも操作部の位置が分かるようにした技術が提案されている。
【０００８】
また、特許文献２（特開平１１−２３２５３７号公報）には、技術分野は異なるが、表示装置の操作に関する技術として、自動販売機の前面に人検知センサとタッチパネル付きディスプレイを設け、人検知センサにより人の接近を検知したときディスプレイに商品見本画像を表示させ、その状態でタッチパネルにより商品を選択できるようにした技術が提案されている。
【特許文献１】特開２００２−９１６７４号公報
【特許文献２】特開平１１−２３２５３７号公報
【発明の開示】
【発明が解決しようとする課題】
【０００９】
車載用ナビゲーション装置のような画面表示装置においては、運転中の操作は事故に繋がる危険性があるため、画面の表示切り替えや、音量調整等の所望の機能を動作させるときは、なるべく操作回数を減らすことが求められる。しかし特許文献１や特許文献２に示される従来技術では車載機器の操作性を向上させるために、手の接近を検知すると操作部の照明輝度をアップさせたり、ディスプレイに商品見本画像を表示させる技術に止まり、車載用ナビゲーション装置のような画面表示装置において、画面の表示切り替えや、音量調整等の操作性向上に用いることはできないという問題点があった。
【００１０】
本発明は、そのような問題点に鑑みなされたものであって、表示手段の前面に付設されたタッチパネルにより各種操作が可能な車載用ナビゲーション装置のような画面表示装置に関し、特に、利用者が装置を操作するために指を画面に近づけた際に、これを検知し、次に表示されるべき画面に自動的に切り替えるようにした画面表示装置を提供することを目的とするものである。
【課題を解決するための手段】
【００１１】
前記課題を解決するために、本願の請求項１にかかる発明は、表示手段と、該表示手段の前面に付設されたタッチパネルと、前記表示手段の近傍に設けられ人の手の接近を検知する手検知手段と、前記表示手段の表示を制御する制御手段とを備えた画面表示装置であって、前記制御手段は、前記表示手段に所定の表示画面を表示中、前記手検知手段により手の接近が検知されると、前記表示手段の表示を前記所定の表示画面に応じた表示画面に切り替えることを特徴とする。
【００１２】
また、本願の請求項２にかかる発明は、請求項１にかかる発明において、前記表示手段に表示される表示画面は、タッチ用アイコンを表示する表示画面であることを特徴とする。
【００１３】
また、本願の請求項３にかかる発明は、請求項１又は請求項２にかかる発明において、前記画面表示装置は、さらに前記表示手段に表示されている表示画面を識別する画面識別手段を備えており、前記画面識別手段は、前記手検知手段により人の手の接近が検知されると前記表示手段に表示されている表示画面を識別し、前記制御手段は、前記表示手段の表示を前記画面識別手段により識別された表示画面に応じた表示画面に切り替えることを特徴とする。
【００１４】
また、本願の請求項４にかかる発明は、請求項１ないし請求項３の何れか１項にかかる発明において、前記画面表示装置は車載機器の表示装置に適用したことを特徴とする。
【００１５】
また、本願の請求項５にかかる発明は、請求項４にかかる発明において、前記車載機器がナビゲーション装置であることを特徴とする。
【発明の効果】
【００１６】
本発明の画面表示装置は、次のような効果を奏する。
【００１７】
すなわち、請求項１にかかる発明においては、人の手の接近を検知する手検知手段を設け、表示手段に所定の表示画面を表示中に、前記手検知手段により手の接近が検知されると、前記表示手段の表示を所定の表示画面に応じた表示画面に切り替えるようにしたので画面の表示切り替えが向上する。
【００１８】
また、請求項２にかかる発明においては、請求項１にかかる画面表示装置において、前記所定の表示画面に応じた表示画面とは、タッチ用アイコンを表示する表示画面であるから、前記手検知手段が手の接近を検知したとき、前記表示手段には現在表示中の所定の表示画面に応じた所定のタッチ用アイコンの表示画面に切り替えられるので、画面の表示切り替えや、音量調整等の操作性が向上する。
【００１９】
また、請求項３にかかる発明においては、請求項１又は請求項２にかかる画面表示装置において、前記画面識別手段は、前記手検知手段により人の手の接近が検知されると前記表示手段に表示されている表示画面を識別し、前記制御手段は、前記表示手段の表示を前記画面識別手段により識別された表示画面に応じた表示画面に切り替えるので、手検知手段により人の手の接近が検知されたときに前記表示手段に表示されていた表示画面に応じて所定の遷移画面や所定のタッチアイコン画面に遷移させて表示させることができる。
【００２０】
また、請求項４にかかる発明においては、請求項１ないし請求項３の何れか１項にかかる画面表示装置において、車載機器の表示装置に適用したので、運転中でも容易に操作できるようになる。
【００２１】
また、請求項５にかかる発明においては、請求項４にかかる画面表示装置において、車載機器がナビゲーション装置であるので、テレビやＣＤ／ＤＶＤ再生機能等を備えたナビゲーション装置の操作が運転中でも容易にできるようになる。
【発明を実施するための最良の形態】
【００２２】
以下、本発明の具体例を実施例及び図面を用いて詳細に説明する。
【００２３】
但し、以下に示す実施形態は、車載用のナビゲーション装置を画面表示装置とする場合を例示するものであるが、本発明をこの画面表示装置に特定することを意図するものではなく、特許請求の範囲に含まれるその他の実施形態の画面表示装置にも等しく適応し得るものである。
【実施例】
【００２４】
図１は、本発明の一実施例に係るナビゲーション装置１の制御ブロック図である。
【００２５】
制御手段１１は、図示しないＣＰＵ、ＲＯＭ、ＲＡＭからなるプロセッサで構成され、ＲＯＭおよびＲＡＭに記録された制御プログラムにしたがってナビゲーション装置１の各部の動作を制御するものである。
【００２６】
また、制御手段１１は、後述する画面識別手段１１０および表示切替手段１２０としても機能する。
【００２７】
現在位置検出手段１２は、ＧＰＳ受信部を備えており、地球上空を周回している複数のＧＰＳ衛星からの時刻情報を含む電波を受信し、受信した情報を基に現在位置を算出するものである。
【００２８】
さらに、現在位置検出手段１２は、距離センサ、方位センサ、車速センサ等からなる自立航法部を用いて現在位置の算出を行うこともできる。この場合、車両の走行距離と走行方位を夫々検出し、これらの値を基準位置に対して積算することによって現在位置を算出することができる。また、この自立航法部による現在位置の検出とＧＰＳ受信部に基づく現在位置の検出とを組み合わせることでＧＰＳ衛星からの電波が受信できないトンネル内や、マルチパス等の影響により誤差が生じやすい高層ビル街等において効果を発揮する。
【００２９】
現在位置検出手段１２は、さらに距離センサ、方位センサ、車速センサ等の出力に基づき当該ナビゲーション装置１を搭載した車両が走行中であるか停車中であるかを検出する車両状態検出手段としても機能する。
【００３０】
入力手段１３は、各種キーやスイッチ等から構成され、ナビゲーション装置１における入力操作や、出発地、目的地の入力等を行うものである。
【００３１】
なお、入力手段１３は、後述する表示手段１４にタッチパネル機能を備えることにより画面上に表示されたアイコン等に触れることで入力可能としてもよい。
【００３２】
表示手段１４は、地図画像や地図画像上の案内経路を他の道路と識別可能に表示するものであり、例えば液晶ディスプレイ等で構成される。
【００３３】
地図記憶手段１５は、各道路の交差点や分岐点などの結節点をノードとし、それぞれのノード間を結ぶ経路をリンクとした道路ノードデータ（ノードデータ）と道路リンクデータ（リンクデータ）を含む道路データを記憶する
経路探索手段１６は、現在位置検出手段１２により検出された車両の現在位置または操作者が入力手段１３を介して指定した出発地から入力手段１３を介して指定した目的地までの案内経路を、地図記憶手段１５に記憶されている道路データを参照して出発地と目的地とに夫々対応する道路リンクデータ間を、ダイクストラ法等の手法を用いて、最短距離、最短時間等の最小コストとなるよう探索を行う。
【００３４】
接近センサ１７は、表示手段１４の前面の適当な位置に設けられ、操作者の手が接近したことを検知するセンサである。接近センサ１７は、例えば、赤外線センサを用いて構成することができ、人体の体温に相当する赤外線を所定時間、継続的に検出した場合に手や指が表示手段１４に接近したと識別することができる。
【００３５】
接近センサを設ける位置は、表示手段１４の前面の適当な位置に限定することなく、表示手段１４周辺の外枠等、表示手段１４の前面周辺の位置で手の接近を検出できる位置であれば特に限定するものではない。
【００３６】
画面識別手段１１０は、現在表示手段１４に表示されている画面、例えば、経路案内画面、ＣＤ再生画面、テレビ画面等、を識別する。画面識別手段１１０による画面の識別は、例えば、ナビゲーション装置が備えている機能毎の標準的な操作順序に応じた画面遷移情報を記憶しておき、操作順序に従って表示中の画面を識別する。画面遷移情報は、図３を参照して後で詳しく説明する。
【００３７】
表示切替手段１２０は、接近センサ１７により手の接近が検出され、且つ、画面識別手段１１０により画面が識別されたとき、画面識別手段１１０により識別された画面に応じて表示手段１４の表示画面を切り替える。
【００３８】
図２は、本発明の一実施例に係る画面表示装置の表示切替処理を示すフローチャートである。
【００３９】
まず、ナビゲーション装置１が起動中であるか否かを判別し（ステップＳ１）、起動中であれば、現在位置検出手段１２により当該車両の走行状態が検出され（ステップＳ２）、さらに画面識別手段１１０により、現在、表示手段１４に表示されている画面が識別される（ステップＳ３）。
【００４０】
その後、接近センサ１７により手が接近したか否かが判別され（ステップＳ４）、手の接近が検出されると、ステップＳ３で識別された画面に応じて、表示手段１４の表示画面を切り替える（ステップＳ５）。その際、ステップＳ２で、車両が走行中であることが検出された場合は、ナビゲーション機能の設定が行えないように、ナビゲーション機能の設定に関係する操作アイコンは、表示しないようにすることもできる。これは、運転中の操作は事故に繋がる危険性があるためである。
【００４１】
一方、ステップＳ４で、手の接近が検出されなかった場合は、ナビゲーション装置１がオフにされたか否かを判別し（ステップＳ６）、オフにされていないときは、ステップＳ４に戻り、再び接近センサ１７による検出が行われる。
【００４２】
図３は、本発明の一実施例に係る画面表示装置の画面遷移例を示す図である。
【００４３】
図３において、「ＤＶＤ／CD」で示すアイコンはＤＶＤ／ＣＤ再生機能を表し、「ＴＶ」で示すアイコンはテレビジョン放送受信機能を表し、「ＮＡＶＩ」で示すアイコンはナビゲーション機能を表している。ナビゲーション機能が起動され、メニュー画面が呼び出されると、「目的地」、「ルート」、「ＶＩＣＳ」（登録商標）、などのアイコンがメニュー画面に表示され、利用者は何れかのアイコンを選択することができる。「目的地」のアイコンが選択されると、「住所」、「電話番号」、「施設」などのアイコンが表示された目的地入力の選択画面に画面遷移する。
【００４４】
また、テレビジョン放送受信機能が起動されと、表示手段１４には受信中のテレビ放送画像が表示され、手の接近が検出されるとチャンネル（ＣＨ）リストの表示画面に遷移し、所望のチャンネル選択ができるようになる。画面識別手段１１０は、このような画面遷移の順序を記憶しておき、表示手段１４に表示されたメニュー画面や選択画面を用いた操作や選択の経過に基づいて現在の画面を識別し、次に表示すべき画面を特定することができる。
【００４５】
（１）現在位置を示す地図を表示しているときに、接近センサ１７に手を近づけると、図４に示すように、画面が切り替わって、「メニュー」と「モード」のアイコンが大きく表示され、その何れかを指でタッチすることにより、メニュー選択画面あるいはモード選択画面を表示させることができる。なお、図４中、参照符号５ａは、ハードキーの音量調整キーである。
【００４６】
また、（２）テレビ視聴中に接近センサ１７に手を近づけると、図５に示すように、画面が切り替わって、チャンネルを示すアイコンが大きく表示され、その何れかを指でタッチすることにより、チャンネルの選択ができる。
【００４７】
また、（３）ＣＤの再生中に接近センサ１７に手を近づけると、図６に示すように、画面が切り替わって、音量を上げたり下げたりするためのアイコンが大きく表示され、その何れかを指でタッチすることにより、音量の調整ができる。なお、音量調整は、音量調整キー５ａを操作してもできるが、音量調整キー５ａは小さいため運転中の操作が困難である。それに対して、表示手段１４に大きく表示された音量調節アイコンを操作すれば、運転中でも容易に操作ができる。
【００４８】
また、（４）ＤＶＤの再生中に接近センサ１７に手を近づけると、図７に示すように、画面が切り替わって、「停止」と「一時停止」のアイコンが大きく表示され、その何れかを指でタッチすることにより、再生を終了させたり、一時的に停止させたりすることができる。
【００４９】
また、（５）経路案内画面を表示中に接近センサ１７に手を近づけると、図８に示すように、画面が切り替わって、「案内中止」と「ルート編集」のアイコンが大きく表示され、その何れかを指でタッチすることにより、経路案内を中止させたり、経路を編集し直したりすることができる。
【００５０】
以上、詳細に説明したように、本発明にかかる画表示装置によれば、人の手の接近を検知する手検知手段を設け、表示手段で所定の表示画面を表示中に、前記手検知手段により手の接近が検知されると、前記表示手段の表示画面を該表示画面に対応した表示画面に切り替えるようにしたので、画面の表示切り替えや、音量調整等の操作性を向上させることができるようになる。
【図面の簡単な説明】
【００５１】
【図１】本発明の一実施例に係るナビゲーション装置のブロック図である。
【図２】本発明の一実施例に係る画面表示装置の表示切替処理を示すフローチャートである。
【図３】本発明の一実施例に係る画面表示装置の画面遷移例を示す図である。
【図４】テレビ視聴中に手を接近させた時の表示切替例を示す図である。
【図５】ＣＤ再生中に手を接近させた時の表示切替例を示す図である。
【図６】現在地表示中に手を接近させた時の表示切替例を示す図である。
【図７】ＤＶＤ再生中に手を接近させた時の表示切替例を示す図である。
【図８】経路案内中に手を接近させた時の表示切替例を示す図である。
【符号の説明】
【００５２】
１１……制御手段
１１０…画面識別手段
１２０…表示切替手段
１２……現在位置検出手段
１３……入力手段
１４……表示手段
１５……地図記憶手段
１６……経路探索手段
１７……接近センサ
【図１】
2009216888.tif 000003
【図２】
2009216888.tif 000004
【図３】
2009216888.tif 000005
【図４】
2009216888.tif 000006
【図５】
2009216888.tif 000007
【図６】
2009216888.tif 000008
【図７】
2009216888.tif 000009
【図８】
2009216888.tif 000010